(57)【要約】    【課題】  セットに含まれるゴルフクラブにおいて、スイング時のゴルフクラブヘッドの返り易さを互いに近似させ、スイングを安定させる。    【解決手段】  異なるロフト角のゴルフクラブヘッドＨ（Ｈａ、Ｈｂ及びＨｃ）を具えた複数のゴルフクラブ１（１ａ、１ｂ及び１ｃ）を揃えたゴルフクラブセットである。前記複数のゴルフクラブ１（１ａ、１ｂ及び１ｃ）は、ゴルフクラブヘッドＨ（Ｈａ、Ｈｂ及びＨｃ）に内部重量物２０が設けられた内部重量物付きゴルフクラブを複数含む。内部重量物が設けられたゴルフクラブにおいて、内部重量物２０の重心Ｇｗは、ロフト角が大きいゴルフクラブヘッドほどトウ側に位置する。【選択図】  図９
2019017524.tif 000002
【特許請求の範囲】
【請求項１】
ロフト角が異なる複数のゴルフクラブを揃えたゴルフクラブセットであって、
前記複数のゴルフクラブは、ボールを打撃するためのフェースを具えたヘッド本体と、前記ヘッド本体に配された内部重量物とを含むゴルフクラブヘッドを具えた内部重量物付きゴルフクラブを複数含み、
前記内部重量物付きゴルフクラブにおいて、前記内部重量物の重心は、前記ロフト角が大きいゴルフクラブヘッドほどトウ側に位置する、
ゴルフクラブセット。
【請求項２】
前記ヘッド本体は、ホーゼルを具えており、
前記内部重量物付きゴルフクラブにおいて、前記ロフト角が大きいゴルフクラブヘッドほど、前記ホーゼルの長さが大きく構成されている請求項１に記載のゴルフクラブセット。
【請求項３】
前記内部重量物付きゴルフクラブにおいて、前記ヘッド本体の重心が、前記ロフト角が大きいゴルフクラブヘッドほど、ヒール側に位置する請求項１又は２に記載のゴルフクラブセット。
【請求項４】
前記内部重量物付きゴルフクラブにおいて、前記ゴルフクラブヘッドの重心距離の最小値と最大値との差が１．５mm以下である請求項１ないし３のいずれかに記載のゴルフクラブセット。
【請求項５】
前記内部重量物は、ヘッド底面側に配されている請求項１ないし４のいずれかに記載のゴルフクラブセット。
【請求項６】
前記内部重量物付きゴルフクラブにおいて、前記ゴルフクラブヘッドは、前記内部重量物を覆うように前記ヘッド本体に固定された固定用部材を含む請求項１ないし５のいずれかに記載のゴルフクラブセット。
【請求項７】
前記内部重量物付きゴルフクラブにおいて、前記固定用部材の輪郭形状が実質的に同一である請求項６に記載のゴルフクラブセット。
【請求項８】
前記固定用部材の比重は、前記ヘッド本体の比重よりも大きく、かつ、前記内部重量物の比重よりも小さい請求項６又は７に記載のゴルフクラブセット。
【発明の詳細な説明】
【技術分野】
【０００１】
本発明は、ロフト角が異なる複数のゴルフクラブを揃えたゴルフクラブセットに関する。
【背景技術】
【０００２】
ゴルフクラブセットが種々提案されている（例えば、下記特許文献１参照）。ゴルフクラブセットは、ロフト角が異なる複数のゴルフクラブを揃えて構成されている。一般に、セットに含まれるゴルフクラブは、互いに統一したヘッド形状やデザインが与えられ、ユーザーに安心感を与える。一方、セット内の各ゴルフクラブは、各番手に応じた飛距離を適切に打ち分けるために、ロフト角が大きいゴルフクラブほど、クラブ全長が小さく構成されている。
【０００３】
また、セット内において、各ゴルフクラブのスイングバランスを同じ又は近づけるために、ロフト角が大きいゴルフクラブほど、ヘッド重量が大きく構成されている。ヘッド重量の調整は、クラブヘッドのデザインの統一感等を損ねないよう、主に、ホーゼルの長さを変えることで行なわれる。より具体的には、ロフト角が大きいゴルフクラブほど、ゴルフクラブヘッドのホーゼルを長くすることで、大きなヘッド重量が与えられている。
【先行技術文献】
【特許文献】
【０００４】
【特許文献１】特開２０１２−２３９６００号公報
【発明の概要】
【発明が解決しようとする課題】
【０００５】
従来のゴルフクラブセットでは、ロフト角が大きいゴルフクラブほど、ホーゼルが長く構成されているため、ゴルフクラブヘッドのヒール側により多くの重量が配分される傾向がある。このため、ロフト角が大きいゴルフクラブほど、ヘッド重心がヒール側に位置する傾向があった。このような従来のゴルフクラブセットでは、スイング時のゴルフクラブヘッドの返り易さが、ゴルフクラブ間で互いに異なる傾向があった。
【０００６】
本発明は、以上のような実情に鑑み案出なされたもので、セットに含まれるゴルフクラブにおいて、スイング時のゴルフクラブヘッドの返り易さを互いに近似させ、スイングを安定させることが可能なゴルフクラブセットを提供することを主たる課題とするものである。
【課題を解決するための手段】
【０００７】
本発明は、ロフト角が異なる複数のゴルフクラブを揃えたゴルフクラブセットであって、  前記複数のゴルフクラブは、ボールを打撃するためのフェースを具えたヘッド本体と、前記ヘッド本体に配された内部重量物とを含むゴルフクラブヘッドを具えた内部重量物付きゴルフクラブを複数含み、前記内部重量物付きゴルフクラブにおいて、前記内部重量物の重心は、前記ロフト角が大きいゴルフクラブヘッドほどトウ側に位置する、ゴルフクラブセットである。
【０００８】
前記ヘッド本体は、ホーゼルを具えており、前記内部重量物付きゴルフクラブにおいて、前記ロフト角が大きいゴルフクラブヘッドほど、前記ホーゼルの長さが大きく構成されても良い。
【０００９】
前記内部重量物付きゴルフクラブにおいて、前記ヘッド本体の重心が、前記ロフト角が大きいゴルフクラブヘッドほど、ヒール側に位置しても良い。
【００１０】
前記内部重量物付きゴルフクラブにおいて、前記ゴルフクラブヘッドの重心距離の最小値と最大値との差が１．５mm以下であっても良い。
【００１１】
前記内部重量物は、ヘッド底面側に配されていても良い。
【００１２】
前記内部重量物付きゴルフクラブにおいて、前記ゴルフクラブヘッドは、前記内部重量物を覆うように前記ヘッド本体に固定された固定用部材を含んでも良い。
【００１３】
前記内部重量物付きゴルフクラブにおいて、前記固定用部材の輪郭形状が実質的に同一であっても良い。
【００１４】
前記固定用部材の比重は、前記ヘッド本体の比重よりも大きく、かつ、前記内部重量物の比重よりも小さくても良い。
【発明の効果】
【００１５】
本発明は、ロフト角が異なる複数のゴルフクラブを揃えたゴルフクラブセットであって、前記複数のゴルフクラブは、ボールを打撃するためのフェースを具えたヘッド本体と、前記ヘッド本体に配された内部重量物とを含むゴルフクラブヘッドを具えた内部重量物付きゴルフクラブを含み、前記内部重量物付きゴルフクラブにおいて、前記内部重量物の重心は、前記ロフト角が大きいゴルフクラブヘッドほどトウ側に位置する。
【００１６】
一般に、ゴルフクラブセットにおいて、ロフト角が大きいゴルフクラブヘッドほど、ホーゼルが長く構成される。そのため、ロフト角が大きいゴルフクラブヘッドほど、ヘッド重心はヒール側に位置する傾向があった。これに対し、本発明は、内部重量物の重心が、ロフト角が大きいゴルフクラブヘッドほどトウ側に位置している。このため、本発明のゴルフクラブセットは、前記各内部重量物付きゴルフクラブヘッドの重心距離を一定に近づけることができる。重心距離は、ヘッドの返り易さに影響する主な要因である。この重心距離が一定に近づけられることで、ゴルフクラブセットに含まれる内部重量物付きゴルフクラブのスイング時のヘッドの返り易さ（クラブシャフト軸周りの回転し易さ）を同じに近づけることができ、ひいては、スイングを安定させることができる。
【図面の簡単な説明】
【００１７】
【図１】（Ａ）〜（Ｃ）は、ゴルフクラブセットに含まれるロフト角が異なるゴルフクラブの基準状態の正面図である。
【図２】（Ａ）〜（Ｃ）は、ゴルフクラブセットに含まれるロフト角が異なるゴルフクラブの基準状態の側面図である。
【図３】ゴルフクラブヘッドの代表例を示す前傾状態の正面図である。
【図４】図３の背面図である。
【図５】図３の底面図である。
【図６】（Ａ）〜（Ｃ）は、図４のゴルフクラブヘッドのＡ−Ａ線、Ｂ−Ｂ線及びＣ−Ｃ線の各位置の断面図である。
【図７】本実施形態のゴルフクラブヘッドの正面側から見た分解斜視図である。
【図８】本実施形態のゴルフクラブヘッドのソール側から見た分解斜視図である。
【図９】（Ａ）〜（Ｃ）は、ゴルフクラブセットに含まれるロフト角が異なるゴルフクラブの基準状態の正面図である。
【図１０Ａ】（Ａ）〜（Ｃ）は、ゴルフクラブセットに含まれるロフト角が異なるゴルフクラブの内部重量物の平面図である。
【図１０Ｂ】ゴルフクラブの内部重量物の他の例を示す平面図である。
【図１１】（Ａ）〜（Ｃ）は、ゴルフクラブセットに含まれるロフト角が異なるゴルフクラブの固定用部材の平面図である。
【図１２】ゴルフクラブヘッドの拡大断面図である。
【図１３】図６（Ｂ）の部分拡大図である。
【図１４】重量物の変形例を示す図２のＢ−Ｂ線の位置相当断面図である。
【図１５】各ゴルフクラブヘッドの重心距離等を示すグラフである。
【図１６】ゴルフクラブヘッドの基準状態を説明するためのゴルフクラブヘッドの概略斜視図である。
【発明を実施するための形態】
【００１８】
以下、本発明の実施の一形態が図面に基づき説明される。
図１の（Ａ）〜（Ｃ）には、本実施形態のゴルフクラブセットに含まれるゴルフクラブ１（１ａ、１ｂ及び１ｃ）の基準状態の正面図を示す。また、図２の（Ａ）〜（Ｃ）には、図１のゴルフクラブ１（１ａ、１ｂ及び１ｃ）の各ゴルフクラブヘッドＨをトウ側から見た側面図が示されている。ゴルフクラブ１ａ、１ｂ及び１ｃは、連続する番手のゴルフクラブが示されており、ロフト角βに関して、ゴルフクラブ１ａ＜ゴルフクラブ１ｂ＜ゴルフクラブ１ｃの関係となっている。
【００１９】
［基準状態］
本明細書において、ゴルフクラブヘッドＨの「基準状態」とは、図１６に概念的に示されるように、フェース２に形成されたスコアライン７と水平面ＨＰとが平行とされた状態で、ゴルフクラブヘッドＨが水平面ＨＰ上に載置された状態である。この基準状態では、クラブシャフトＳの軸中心線Ｚが基準垂直面ＶＰ内に配されている。基準垂直面ＶＰは、水平面ＨＰに対して垂直な平面である。この基準状態において、スコアライン７は、水平面ＨＰに平行であり、かつ、基準垂直面ＶＰに平行である。また、ゴルフクラブヘッドＨの方向に関し、ゴルフクラブヘッドＨの前側は、ボールを打撃するフェース２の側を意味する。ゴルフクラブヘッドＨの後側は、その反対側を意味する。ゴルフクラブヘッドＨの「上側」及び「下側」は、垂直方向の「上側」及び「下側」をそれぞれ意味する。ゴルフクラブヘッドＨのトウ−ヒール方向は、ゴルフクラブヘッドの前後方向と直交する水平方向を意味する。
【００２０】
［ゴルフクラブセットの基本形態例］
図１〜２に示されるように、本実施形態のゴルフクラブセットは、異なるロフト角βのゴルフクラブヘッドＨを具えた複数のゴルフクラブ１（１ａ、１ｂ及び１ｃ）を揃えている。本明細書において、ゴルフクラブセットとは、クラブ製造業者からいわゆるセット販売されているか又はセット販売が推奨されている複数のゴルフクラブの群を指す。これらは、典型的には、アイアン型ゴルフクラブセットとして知られている。
【００２１】
セットに含まれるゴルフクラブ１は、例えば、デザイン的な統一感が与えられている一方、それぞれの異なるロフト角β等に応じ、クラブ毎に意図された異なる飛距離を打ち分けることができるように構成されている。本実施形態では、好ましい態様として、アイアン型ゴルフクラブのセットが例に挙げられている。本発明は、他の態様として、ユーティリティ型やウッド型のゴルフクラブのセットとして実施されても良い。
【００２２】
ゴルフクラブセットにおいて、最も小さなロフト角βは、例えば１９〜２７度程度が設定され、最も大きなロフト角βは、例えば４４〜６０度程度に設定される。ゴルフクラブセット内のゴルフクラブ１によって、広い範囲の飛距離を打ち分けるために、ゴルフクラブセット内で隣接する番手間のロフト角βの差は、例えば３〜１０度程度とされるのが望ましい。また、ゴルフクラブセットに含まれるゴルフクラブ１の合計本数は特に定めないが、例えば、３本以上が望ましく、典型的には５〜１０本程度で構成されるのが望ましい。
【００２３】
本実施形態のゴルフクラブセットにおいて、ロフト角βが大きいゴルフクラブ１ほど、クラブ全長が小さく（即ち、クラブシャフトＳが短く）構成されている。また、本実施形態のゴルフクラブセットにおいて、ロフト角βが大きいゴルフクラブ１ほど、ライ角αも大きく構成されている。さらに、本実施形態のゴルフクラブセットにおいて、それぞれのゴルフクラブ１のスイングバランスを同じにする又は近づけるために、ロフト角βが大きい（クラブ全長が小さい）ゴルフクラブ１ほど、ヘッド重量が大きく構成されている。ヘッド重量の調整は、ゴルフクラブヘッドＨのデザインの統一感等を損ねないよう、主として、ホーゼル６の長さを変えることにより行なわれている。より詳細には、ロフト角βが大きいゴルフクラブ１ほど、ホーゼル６の長さ（クラブシャフトＳの軸中心線Ｚ上でのホーゼル上端から水平面ＨＰまでの長さ）６Ｌが大きく構成されている。
【００２４】
［ゴルフクラブヘッドの基本構成例］
図３〜図５には、ゴルフクラブセットに含まれるゴルフクラブヘッドＨの代表例の正面図、背面図及び底面図がそれぞれ示されている。図３〜図５において、ゴルフクラブヘッドＨは、それらの形状を理解しやすいように、前傾状態とされている。この前傾状態とは、基準状態にあるゴルフクラブヘッドＨを基準水平軸（水平面ＨＰ及び基準垂直面ＶＰに平行な軸）周りに前傾させ、フェース２が垂直（基準垂直面ＶＰに平行）とされた状態である。また、図６の（Ａ）〜（Ｃ）は、図４のＡ−Ａ線、Ｂ−Ｂ線及びＣ−Ｃ線の各位置の断面図である。さらに、図７及び図８には、ゴルフクラブヘッドＨの正面側から見た分解斜視図及び背面側から見た分解斜視図がそれぞれ示されている。
【００２５】
［ヘッドの基本形状］
図３〜７に示されるように、本実施形態のゴルフクラブヘッドＨは、典型的なアイアン型の形状を有し、フェース２、トップ３、ソール４、トウ５及びホーゼル６を含んでいる。
【００２６】
フェース２は、ボールを打撃するための実質的に平坦な面である。フェース２には、ボールとの摩擦を高めるために、トウ−ヒール方向に延びる複数本のスコアライン７が設けられている。
【００２７】
トップ３は、フェース２の上縁から後方に延びているゴルフクラブヘッドＨの上面部分である。
【００２８】
ソール４は、フェース２の下縁から後方に延びているヘッド底面の部分である。トウ５は、ホーゼル６から最も離れた部分であり、トップ３とソール４との間を滑らかに接続している。
【００２９】
ホーゼル６は、クラブシャフトＳ（図１に示す）が連結されるためのシャフト差込穴８を有する部分であり、例えば、筒状に構成されている。このシャフト差込穴８の軸中心線は、クラブシャフトＳがそこに固着されたときに、クラブシャフトＳの軸中心線Ｚに本質的に一致する。
【００３０】
本実施形態のゴルフクラブヘッドＨのいくつかは、例えば、ヘッド本体１０、内部重量物２０及び固定用部材３０を含んで構成されている。本明細書において、内部重量物２０が配されたゴルフクラブヘッドＨを有するゴルフクラブを、「内部重量物付きゴルフクラブ」と称する。本実施形態のゴルフクラブセットは、内部重量物付きゴルフクラブを複数本含み、好ましくは３本以上、より好ましくは４本以上含むことができる。
【００３１】
［ヘッド本体］
ヘッド本体１０は、ゴルフクラブヘッドＨの主要部を構成するもので、例えば、スコアライン７が形成されたフェース２、トップ３、ソール４、トウ５及びホーゼル６を含んでいる。ヘッド本体１０は、例えば、金属材料で構成されている。
【００３２】
好ましい態様では、ヘッド本体は、図７に示されるように、フェースプレート１２と、フェース受け部１４とを含む。フェースプレート１２及びフェース受け部１４とは、互いに異なる金属材料で構成されている。
【００３３】
フェースプレート１２は、例えば、ゴルフクラブヘッドＨを構成する金属材料の中で相対的に小さい比重を有する金属材料で構成されている。特に好ましい態様では、フェースプレート１２には、チタン合金等が好適であり、好ましくは、比重が４．５以下のチタン合金が採用され得る。このような態様は、ヘッド重心をより後方に位置させるのに有効である。
【００３４】
フェース受け部１４は、例えば、トップ３、ソール４及びトウ５で囲まれた前後に貫通する開口部Ｏを有している。フェース受け部１４は、開口部Ｏの周りに、フェースプレート１２の周縁部が固着されるフェース取付部１６が設けられている。フェース取付部１６にフェースプレート１２が固着されることにより、開口部Ｏは閉じられる。フェースプレート１２とフェース受け部１４とは、例えば、溶接、ろう付け、接着剤又はカシメ等の接合手段によって一体に固着される。フェース受け部１４は、さらに、ホーゼル６を一体に具えている。
【００３５】
好ましい態様では、フェース受け部１４は、基本的な強度と良好な加工性を有する鉄基合金が採用され、好ましくはステンレス又は炭素鋼などが用いられる。これらの比重は、７．０を超えるものであり、好ましくは、７．５以上とされる。このような態様は、ヘッド重心を、より後方に位置させるのに有効である。他の態様では、ヘッド本体１０は、１種類又は３種類以上の材料で構成されても良い。
【００３６】
１種類の材料で構成されたヘッド本体１０は、典型的には、フェースプレート１２とフェース受け部１４とが別部材ではなく、これらが一体的に一つの部材で作られた１ピース構造である。他の例として、ヘッド本体１０は、例えば、同一の材料からなるフェースプレート１２及びフェース受け部１４が一体に固着された２ピース構造であっても良い。また、３種類以上の材料で構成されたヘッド本体１０としては、例えば、フェース受け部１４を２以上の部材で構成し、フェースプレート１２と一体に固着したマルチピース構造が挙げられる。
【００３７】
図６及び図８に示されるように、ヘッド本体１０には、例えば、ヘッド仕上がり形状の外面から凹んだ凹部１８が設けられている。凹部１８に後述の内部重量物２０及び固定用部材３０がそれぞれ配置されることにより、ゴルフクラブヘッドＨの仕上がり形状が得られる。換言すれば、凹部１８は、ヘッド仕上がり形状から、内部重量物２０及び固定用部材３０を取り除いた部分（空間ないし容積）として定義される。本実施形態において、凹部１８は、ソール４側（より詳しくは、フェース受け部１４のソール）に設けられており、トウ−ヒール方向に長く溝状に延びている。
【００３８】
［内部重量物］
内部重量物２０は、ヘッド本体１０よりも大きい比重を有する金属材料で構成される。ヘッド本体１０が、１種類の材料から構成されている場合、ヘッド本体１０の比重は当該材料の比重を意味する。一方、ヘッド本体１０が比重の異なる複数の材料を組み合わせて構成されている場合、ヘッド本体１０の比重は、各材料の比重を、各材料が構成している部材の体積で重み付けした加重平均値として特定される。
【００３９】
内部重量物２０は、ヘッド重心の位置の決定に大きな影響を与え、ヘッド重心の位置を、内部重量物２０の重心の位置に近づける働きをする。本実施形態において、内部重量物２０は、ヘッド重心をヘッドの下方かつ後方に近づけるように配置される。図７及び図８に示されるように、内部重量物２０は、例えば、トウ−ヒール方向に沿って長く延びている。より詳細には、図５に示されるように、そのトウ−ヒール方向の長さＷＬが、スコアライン７のトウ側端７ａからヒール側端７ｂまでの長さ以上とされている。また、内部重量物２０の、トウ−ヒール方向と直交する横断面積は、トウ−ヒール方向の両側に向かって漸減している。ヘッド重心の位置の調整とゴルフクラブヘッドのスイングのしやすさなどを考慮すれば、内部重量物２０の重量は、例えばヘッド全重量の約７．０％〜１２．０％の範囲に設定されるのが望ましい。
【００４０】
好ましい態様では、内部重量物２０は、Ｗ、Ｎｉ及びＦｅを含むタングステン・ニッケル・鉄合金で構成され得る。内部重量物２０の比重は、特に限定されるものではないが、好ましくは１０．０以上、より好ましくは１２．０以上とされる。また、内部重量物２０の比重は、上記のいずれかの下限値との組合せにおいて、好ましくは１８．５以下の範囲とされる。比重が大きいほど、重量物を小型化でき、生産性や設計自由度が向上する点で望ましい。
【００４１】
上記合金は、例えば、その化学成分中、Ｆｅに対するＷの割合を高めることによって、より大きな比重を得ることができる。一方、Ｗの増加によって高比重化された内部重量物２０は、相対的にＦｅの割合が低下するので、軟鉄やステンレス等の鉄基合金に対する溶接性が低下する。本実施形態の内部重量物２０には、ヘッド本体１０と溶接できない程度までＷの割合を高めて高比重化された上記合金が用いられている。
【００４２】
本実施形態では、内部重量物２０は、凹部１８に配置される。内部重量物２０の容積は、凹部１８の容積よりも小さく構成されている。好ましい態様では、内部重量物２０は、凹部１８の表面の少なくとも一部と当接する。これについては、後述する。
【００４３】
［固定用部材］
固定用部材３０は、内部重量物２０を覆うようにヘッド本体１０に固定されている（例えば、図４〜図６参照）。固定用部材３０は、例えば、ヘッド本体１０に溶接固定可能な金属材料で構成される。好ましい態様では、固定用部材３０は、比重に関して、ヘッド本体１０よりも大きく、かつ、内部重量物２０よりも小さい金属材料で構成される。このような態様では、内部重量物２０のみならず、固定用部材３０の重量も、ゴルフクラブヘッドＨの重心位置の設計に利用することができる。
【００４４】
固定用部材３０に適した金属材料としては、例えば、内部重量物２０と類似のＷ、Ｎｉ及びＦｅを含むタングステン・ニッケル・鉄合金が挙げられる。このような合金は、Ｗの割合を調整する（内部重量物２０のそれに比して減らす）ことにより、鉄基合金からなるヘッド本体１０への溶接性（溶接継手の接合強度）を維持しながら、ヘッド本体１０よりも高い比重を持つことができる。より好ましい態様では、固定用部材３０の比重は、８．０〜１０．０の範囲とされる。
【００４５】
また、本実施形態では、固定用部材３０は、内部重量物２０を完全に覆うようにヘッド本体１０に固定されている（図４〜図６参照）。したがって、内部重量物２０は、ヘッド仕上がり形状の外面に露出することなくヘッド内部に配置され、ヘッド外方からは見ることができない。このような態様では、各ゴルククラブ間で内部重量物２０の形状や位置が異なっていても、それが外部から見えないので、ヘッドのデザイン等に統一感を与えることが可能である。
【００４６】
固定用部材３０は、例えば、ヘッド本体１０と溶接固着される。接合強度を高めるために、固定用部材３０の全周縁が、ヘッド本体１０と溶接されているのが望ましい。好ましい態様では、図６（Ａ）〜（Ｃ）及び図７に示されるように、固定用部材３０は、内部重量物２０のヘッド外方側の面と少なくとも一部で接する内側面３２を含む。このような固定用部材３０は、内部重量物２０のガタツキ等を抑制することができる。
【００４７】
本実施形態では、固定用部材３０は、少なくともバック面１７の少なくとも一部を構成している。図６に示されるように、バック面１７は、前傾状態のゴルフクラブヘッドＨにおいて、ヘッド後方から見たときに見える部分を指す。このような態様では、固定用部材３０の重量によっても、ヘッド重心をより後方に位置させることができる。好ましい態様では、固定用部材３０は、ソール４の少なくとも一部を構成することができる。このような態様では、固定用部材３０の重量によっても、ヘッド重心をより低く位置させることができる。
【００４８】
他の態様では、固定用部材３０は、内部重量物２０の一部のみを覆うことができる。この態様では、内部重量物２０の一部は、ヘッド外方から見えるかもしれない。しかし、この態様においても、ヘッド外部から内部重量物２０の見える範囲が小さくなるので、ヘッド外観やデザイン自由度の悪化が防止される。したがって、内部重量物２０は、その一部がヘッド本体１０と固定用部材３０との間で保持される形態が包含される。
【００４９】
［内部重量物の重心］
図９には、内部重量物付きゴルフクラブの中から選択された３つのゴルフクラブ１（１ａ、１ｂ及び１ｃ）の基準状態の正面図が示されている。これらのゴルフクラブ１（１ａ、１ｂ及び１ｃ）は、上で述べた通り、番手が連続するもので、ロフト角βに関して、ゴルフクラブヘッドＨａ＜ゴルフクラブヘッドＨｂ＜ゴルフクラブヘッドＨｃの関係とされている。本実施形態のゴルフクラブセットは、内部重量物付きゴルフクラブにおいて、内部重量物２０の重心Ｇｗは、ロフト角が大きいゴルフクラブヘッドほどトウ側に位置している。
【００５０】
ここで、内部重量物２０の重心Ｇｗの位置については、基準状態のゴルフクラブヘッドＨの正面図（又は背面図）において、クラブシャフトＳの軸中心線Ｚからの垂直方向の距離２０Ｌとして特定される。したがって、ロフト角が大きいゴルフクラブヘッドＨほど、クラブシャフトＳの軸中心線Ｚからの内部重量物２０の重心Ｇｗまでの前記距離２０Ｌは大きく構成される。また、一つのゴルフクラブヘッドＨに複数の内部重量物２０が設けられることがある。典型的な例として、図１０Ｂのように、例えば、内部重量物２０が、トウ側の内部重量物２０Ｔ及びヒール側の内部重量物２０Ｈに分割して設けられている場合、これら複数の内部重量物２０Ｔ及び２０Ｈを一つの集合体とみなし、その集合体の重心が「内部重量物」の重心として定義される。
【００５１】
従来のゴルフクラブセットでは、ロフト角が大きいゴルフクラブヘッドほど、ヘッド重心がヒール側に位置する（即ち、前記距離２０Ｌが小さい）傾向がある。これに対して、本発明のゴルフクラブセットは、ロフト角βが大きいゴルフクラブヘッドＨほど、内部重量物２０の重心Ｇｗがトウ側に位置するように構成されている。このため、各内部重量物付きゴルフクラブヘッドの重心距離ＧＬを一定に近づけることが可能になる。
【００５２】
ゴルフクラブヘッドＨの重心距離ＧＬは、図９に示されるように、基準状態のゴルフクラブヘッドＨの正面図（又は背面図）において、クラブシャフトＳの軸中心線Ｚからヘッド重心Ｇまでの軸中心線Ｚと直交する方向に測定された距離である。重心距離ＧＬは、スイング中のゴルフクラブヘッドＨの返り易さに影響する主な要因とされている。この重心距離ＧＬが一定に近づけられることで、ゴルフクラブセット内の内部重量物付きゴルフクラブのスイング中のヘッドの返り易さ（クラブシャフト軸周りの回転し易さ）を近似させることができ、ひいては、スイングを安定させることが可能になる。
【００５３】
上述の関係を満たすものであれば、内部重量物２０の位置は特に限定されるものではない。
【００５４】
好ましい態様では、複数の内部重量物付きゴルフクラブにおいて、ゴルフクラブヘッドＨの重心距離ＧＬが実質的に同一とされる。より具体的には、複数の内部重量物付きゴルフクラブにおいて、それらのゴルフクラブヘッドＨの重心距離ＧＬの最大値と最小値との差が２．０mm以下、特に好ましくは１．５mm以下とされる。
【００５５】
ゴルフクラブセット内の少なくとも内部重量物付きゴルフクラブにおいて、ヘッドの返し易さを高めるために、重心距離ＧＬは、好ましくは４０．０mm以下、より好ましくは３９．０mm以下とされる。他方、重心距離ＧＬが小さすぎると、スイング中にゴルフクラブヘッドＨが過度に返りやすくなり、ひいては打球の方向性が安定しないおそれがある。このような観点より、重心距離ＧＬは、好ましくは３１mm以上とされる。
【００５６】
内部重量物２０の重心Ｇｗの位置は、内部重量物２０のヘッド本体１０に対する配置位置、内部重量物２０の形状及び／又は内部重量物２０の大きさ等を変えることによって調節することができる。例えば、内部重量物２０の重心Ｇｗの位置をトウ側に位置させるために、内部重量物２０の位置をトウ側に寄せること、及び／又は、内部重量物２０のトウ側部分をヒール側部分に比して相対的に大きくすることなどの方法が採用され得る。
【００５７】
図１０Ａの（Ａ）〜（Ｃ）には、ゴルフクラブヘッドＨａ、Ｈｂ及びＨｃに配されている内部重量物２０の平面図がそれぞれ示されている。図において、左右方向がトウ−ヒール方向に対応している。図１０Ａの（Ａ）〜（Ｃ）に示されるように、内部重量物２０は、トウ−ヒール方向に沿った横長形状を有している。各内部重量物２０のトウ−ヒール方向に沿った寸法は、ほぼ同一であり、例えば６８mm±３mm程度で構成されている。また、各内部重量物２０は、同一の比重を有する金属材料で構成されている。
【００５８】
各内部重量物２０は、トウ−ヒール方向と直交する幅方向において、最大の寸法となる最大幅部２０Ｍを有する。本実施形態の内部重量物２０は、この最大幅部２０Ｍからトウ側及びヒール側に向かって幅寸法が滑らかに減少している。また、各内部重量物２０において、最大幅部２０Ｍの位置は、トウ−ヒール方向において、それぞれ異なっていても良い。本実施形態では、ロフト角が大きいゴルフクラブヘッドＨに配される内部重量物２０ほど、最大幅部２０Ｍが相対的に内部重量物２０のトウ側に形成されている。
【００５９】
他の態様として、図１０Ｂに示したように、複数の内部重量物２０Ｔ及び２０Ｈが設けられているような場合、それらの位置や形状が同じであっても、内部重量物２０Ｔ及び２０Ｈの比重を異ならせることで、内部重量物２０の重心位置を調整することもできる。例えば、トウ側の内部重量物２０Ｔ及びヒール側の内部重量物２０Ｈの形状及び位置は、各内部重量部付きゴルフクラブにおいて、実質的に同一とする一方、ロフト角が大きいゴルフクラブヘッドほど、トウ側の内部重量物２０Ｔの比重が、ヒール側の内部重量物２０Ｈの比重に対して、より大きくなるように構成することもできる。このような態様でも、内部重量物付きゴルフクラブにおいて、内部重量物２０の重心Ｇｗは、ロフト角が大きいゴルフクラブヘッドほどトウ側に位置させることができる。
【００６０】
内部重量物２０の重心Ｇｗの位置を各ゴルフクラブヘッドＨで異ならせた場合、内部重量物２０の形状や配置が、各ゴルフクラブにおいて異なることになる。しかし、本実施形態では、図４〜図６に示されるように、固定用部材３０が、内部重量物２０を完全に覆うようにヘッド本体１０に固定されているので、内部重量物２０は、ヘッド外方からは見えない。したがって、本実施形態のゴルフクラブセットによれば、各ゴルククラブ間で内部重量物２０の形状や位置が異なっていても、それが外部から見えないので、ヘッドのデザイン等に統一感をもたらすことが可能である。
【００６１】
図１１の（Ａ）〜（Ｃ）には、ゴルフクラブヘッドＨａ、Ｈｂ及びＨｃに配されている各固定用部材３０（３０ａ、３０ｂ及び３０ｃ）の平面図がそれぞれ示されている。図１１の（Ａ）〜（Ｃ）から明らかなように、各固定用部材３０は、トウ−ヒール方向の長さ３０Ｘと、トウ−ヒール方向に直交する方向の幅３０Ｙとを有する。好ましい態様では、内部重量物付きゴルフクラブにおいて、各固定用部材３０の輪郭形状は、一見して同一に見えるよう、実質的に同一に形成される。より好ましくは、各固定用部材３０間において、それらのトウ−ヒール方向の長さ３０Ｘの差、及び、幅３０Ｙの差は３mm以下に抑えられる。
【００６２】
このような態様によれば、ヘッド本体１０と固定用部材３０との接合位置も、各ゴルフクラブヘッドにおいて実質的に同一とされる。一般に、ヘッド外面に形成される溶接位置は、目立たなくするために、サテン又は塗装等で仕上げる必要があり、ミラー仕上げには適さない。したがって、セットに含まれる各ゴルフクラブヘッドにおいて、ヘッド外面上の溶接位置がそれぞれ異なっていると、統一したヘッド仕上げ加工ができないという欠点がある。これに対して、本実施形態の固定用部材３０によれば、ゴルフクラブセットの各ゴルフクラブヘッドＨについて、統一した仕上げ加工を施すことが可能になる利点がある。
【００６３】
［変形例］
（態様１）
図１２に示されるように、ヘッド本体１０に形成された凹部１８は、ヘッド外面から凹んだ底部１８ａと、この底部１８ａに向かってテーパー状に配置された一対の斜面１８ｂを含んで構成されても良い。好ましい態様では、斜面１８ｂの一方は、フェース２と平行であり、他方は、フェース２と直交している。したがって、斜面１８ｂ、１８ｂ間には、ほぼ直角のコーナが形成されている。このコーナの奥側に、底部１８ａが形成されている。本実施形態では、底部１８ａは、２つの斜面に互いに交差する向きの平面で形成されている。
【００６４】
一方、内部重量物２０は、一対の斜面１８ｂ、１８ｂに当接する（嵌まり込む）テーパー部分２６を有する。即ち、テーパー部分２６は、斜面１８ｂ、１８ｂと本質的に面接触する部分を有している。また、テーパー部分２６の先端面２８は、テーパー部分２６が斜面１８ｂ、１８ｂと本質的に面接触したときに、凹部１８の底部１８ａとの間に隙間を形成するように構成されている。このような態様によれば、内部重量物２０の位置は、一対の斜面１８ｂによって拘束され、内部重量物２０のヘッド内部でのガタツキが妨げられる。したがって、ボール打撃時、内部重量物２０のヘッド内部でのガタツキや振動に起因した異音の発生が抑制される。また、上記の構成で内部重量物２０のガタツキを抑制することができるため、内部重量物２０のテーパー部分２６等については、高い加工精度が不要となるため、生産性も向上する。好ましい態様では、上記隙間は、０．５mm以上とされる。
【００６５】
（態様２）
図６（Ｂ）及びその部分拡大図である図１３に示されるように、上記態様１に加えて又は態様１に代えて、ヘッド本体１０の凹部１８には、ヘッド外方に向かって突出する少なくとも一つの凸部１９が形成されても良い。本実施形態において、凸部１９は、例えば、凹部１８の底部１８ａに形成されている。本実施形態において、凸部１９は、例えば、略円柱状に形成されているが、このような態様に限定されるものではない。また、凸部１９は、凹部１８に一つ設けられているが、２つ以上設けられても良い。
【００６６】
内部重量物２０には、凸部１９に対応して、貫通孔２２が形成される。内部重量物２０は、貫通孔２２にヘッド本体１０の凸部１９が嵌め込まれるように凹部１８に配置されている。このような態様によれば、内部重量物２０は、凹部１８の斜面１８ｂとの接触のみならず、その貫通孔２２が凸部１９と係合することで、ガタツキや振動がより確実に抑制される。好ましい態様では、内部重量物２０の貫通孔２２は、図５に示されるように、内部重量物２０の長手方向の中央部に設けられているのが望ましい。このような態様では、内部重量物２０の振動等がより効果的に抑制され得る。ここで、内部重量物２０の長手方向とは、内部重量物２０の最大長さＷＬとなる方向であり、本実施形態では、トウ−ヒール方向である。また、長手方向の中央部とは、前記最大長さＷＬの長手方向の中央点から、該長手方向の両側に、それぞれ内部重量物２０の最大長さの２０％の範囲内の部分とする。
【００６７】
（態様３）
図１３に示されるように、上記態様２を前提として、貫通孔２２と凸部１９との間に、内部重量物２０をヘッド本体１０側に固定するための係止部５０が配置されても良い。係止部５０は、貫通孔２２と凸部１９との間の隙間を埋め、両者の相対的な移動を、摩擦の作用及び／又は機械的な係合作用によって拘束するものが望ましい。このような係止部５０としては、特に限定されないが、例えば、凸部１９の先端部に溶接固着された溶接ビード５２を採用できる。溶接ビード５２は、流動性を有する溶融金属が固化したもので、本実施形態では凸部１９を構成している金属材料（即ち、ヘッド本体１０を形成している金属材料）と溶融・一体化している。
【００６８】
溶接ビード５２は、固化前の状態では流動性を有する。したがって、内部重量物の貫通孔２２と、ヘッド本体１０側の凸部１９とを嵌合させた後に、両者の間の微小な隙間に供給されることにより、その内部に浸透し、該隙間を埋めた状態で凸部１９に固着され得る。したがって、本実施形態の係止部５０は、内部重量物２０と直接的に一体化していなくても、貫通孔２２と凸部１９との隙間を減じ、両者の密着性を高める。これは、ヘッド本体１０に対する内部重量物２０の振動、即ち、凸部１９の突出方向及び突出方向に対して直角な方向の振動を、より効果的に抑制する。
【００６９】
係止部５０による内部重量物２０の拘束効果を高めるために、本実施形態では、凸部１９の先端側にテーパー部１９ａが形成されている。これにより、テーパー部１９ａと貫通孔２２の内面との間には、ヘッド外面に向かって拡大する隙間（空間）が提供される。このような隙間は、溶接継手のいわゆる開先として利用できる。即ち、上記空間に、溶融金属を十分に満たすことができる。溶融金属は、例えば、凸部１９とは別に溶加材として前記空間に供給されることが望ましい。溶加材は、凸部１９の表面と相互に溶融し、一体化しながら固化する。溶融金属の固化により、凸部１９の外周部分には、溶接ビード５２からなる係止部５０が形成され、貫通孔２２との密着性が高められる。
【００７０】
貫通孔２２は、ヘッド本体１０側の第１開口２２ａと、ヘッド外方側の第２開口２２ｂとを有するが、好ましい態様では、第２開口２２ｂは、第１開口２２ａよりも大きい横断面積を有する。より具体的な態様として、本実施形態の貫通孔２２は、第２開口２２ｂからヘッド本体１０側に向かって横断面積が漸減しているテーパー状部分を含んでいる。
【００７１】
このような態様によれば、貫通孔２２と凸部１９との間に、ヘッド外方に向かって徐々に拡大する係止部５０を形成するための隙間（空間）を提供できる。流動性を有する溶融金属がこのような隙間に供給されると、溶融金属は、隙間の奥深く（凸部１９の根元側）までより充填され易くなる利点がある。また、上記隙間に形成された溶接ビード５２は、内部重量物２０をヘッド外方側から押さえ込むことができる。したがって、この態様によれば、内部重量物２０の凸部１９の突出方向の移動が機械的に拘束され、内部重量物２０の振動に起因する異音の発生をより確実に抑制することができる。
【００７２】
第２開口２２ｂの横断面積を大きくする変形例としては、図１４に示されるように、例えば、第２開口２２ｂ側に、ステップ状に内径が拡大した拡径部分２５を有しても良い。拡径部分２５の態様は、凸部１９のテーパー部１９ａの構成とともに実施されると、より効果的であるが、凸部１９にテーパー部１９ａを形成しない構成において実施されても良い。
【００７３】
係止部５０としては、溶接ビード５２に限定されるものではなく、例えば、リング状の弾性体、エラストマー又は金属製リングなどの楔部材が凸部１９と貫通孔２２との間に圧入されても良い。いずれにせよ、係止部５０は、固定用部材３０で覆われるため、ヘッド外部から視認されることはないので、ヘッド外観などを損ねるおそれはない。
【００７４】
以上、本発明の実施形態が、種々説明されたが、本発明は、上記の実施形態に限定されるものではなく、種々の態様に変形することができる。特に、異なる実施形態間においても、１以上の特徴部分（変更部分）を相互に利用し又は組み合わせることが可能であることは言うまでもない。
【実施例】
【００７５】
図１〜図１１を用いて説明した基本形態を有するゴルフクラブセットが、表１の仕様に基づいて試作された。この実施例において、ゴルフクラブセットは、４〜９番アイアン（４ｉ〜９ｉ）、及び、３種類のウエッジ（ＰＷ：ピッチングウエッジ、ＡＷ：アプローチウエッジ及びＳＷ：サンドウエッジ）の合計９本のゴルフクラブで構成されている。また、この実施例のゴルフクラブセットにおいて、内部重量物付きゴルフクラブは、４ｉ〜７ｉの４本のみである。それ以外のゴルフクラブのゴルフクラブヘッドは、内部重量物が設けられておらず、凹部を有するヘッド本体と、前記凹部に固定された固定用部材で構成され、この固定用部材が実質的に重量物として機能している。
【００７６】
【表１】
2019017524.tif 000003
【００７７】
図１５には、各ゴルフクラブヘッドの重心距離の他、ヘッド本体の重心、内部重量物の重心、固定用部材の重心の各位置（基準状態の正面図におけるクラブシャフトの軸中心線からの距離）を示すグラフが示されている。
【００７８】
内部重量物付きゴルフクラブにおいて、ヘッド本体（フェースプレート＋フェース受け部）の重心のクラブシャフトの軸中心線からの距離は、ロフト角が大きいゴルフクラブヘッドほど小さくなっている。つまり、内部重量物付きゴルフクラブにおいて、ヘッド本体の重心は、ロフト角が大きいゴルフクラブヘッドほど、ヒール側に位置している。これは、主として、ホーゼルの長さの影響による。
【００７９】
一方、内部重量物の重心は、ロフト角が大きいゴルフクラブヘッドほど、クラブシャフトの軸中心線からの距離が大きくなっている。即ち、内部重量物の重心は、ロフト角が大きいゴルフクラブヘッドほど、トウ側に位置している。このような内部重量物を採用することにより、各ゴルフクラブヘッドの重心距離は、３８．１〜３９．０mmの範囲に収まっており、実質的に一定とされている。
【符号の説明】
【００８０】
１  ゴルフクラブ
２  フェース
６  ホーゼル
７  スコアライン
１０  ヘッド本体
２０  内部重量物
３０  固定用部材
Ｇｗ  重心
Ｈ  ゴルフクラブヘッド
Ｓ  クラブシャフト
【図１】
2019017524.tif 000004
【図２】
2019017524.tif 000005
【図３】
2019017524.tif 000006
【図４】
2019017524.tif 000007
【図５】
2019017524.tif 000008
【図６】
2019017524.tif 000009
【図７】
2019017524.tif 000010
【図８】
2019017524.tif 000011
【図９】
2019017524.tif 000012
【図１０Ａ】
2019017524.tif 000013
【図１０Ｂ】
2019017524.tif 000014
【図１１】
2019017524.tif 000015
【図１２】
2019017524.tif 000016
【図１３】
2019017524.tif 000017
【図１４】
2019017524.tif 000018
【図１５】
2019017524.tif 000019
【図１６】
2019017524.tif 000020
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
ロフト角が異なる複数のゴルフクラブを揃えたゴルフクラブセットであって、
前記複数のゴルフクラブは、ボールを打撃するためのフェースを具えたヘッド本体と、前記ヘッド本体に配された内部重量物とを含むゴルフクラブヘッドを具えた内部重量物付きゴルフクラブを複数含み、
前記ヘッド本体は、ホーゼルを具えており、
前記内部重量物付きゴルフクラブにおいて、前記ロフト角が大きいゴルフクラブヘッドほど、前記ホーゼルの長さが大きく構成されており、
前記内部重量物付きゴルフクラブにおいて、前記内部重量物の重心は、前記ロフト角が大きいゴルフクラブヘッドほどトウ側に位置し、
前記複数の内部重量物付きゴルフクラブ間において、前記ゴルフクラブヘッドの重心距離の最小値と最大値との差が２．０mm以下である、
ゴルフクラブセット。
【請求項２】
前記内部重量物付きゴルフクラブにおいて、前記ヘッド本体の重心が、前記ロフト角が大きいゴルフクラブヘッドほど、ヒール側に位置する請求項１に記載のゴルフクラブセット。
【請求項３】
前記複数の内部重量物付きゴルフクラブ間において、前記ゴルフクラブヘッドの重心距離の最小値と最大値との差が１．５mm以下である請求項１又は２に記載のゴルフクラブセット。
【請求項４】
前記内部重量物は、ヘッド底面側に配されている請求項１ないし３のいずれかに記載のゴルフクラブセット。
【請求項５】
前記内部重量物付きゴルフクラブにおいて、前記ゴルフクラブヘッドは、前記内部重量物を覆うように前記ヘッド本体に固定された固定用部材を含む請求項１ないし４のいずれかに記載のゴルフクラブセット。
【請求項６】
前記内部重量物付きゴルフクラブにおいて、前記固定用部材の輪郭形状が実質的に同一である請求項５に記載のゴルフクラブセット。
【請求項７】
前記固定用部材の比重は、前記ヘッド本体の比重よりも大きく、かつ、前記内部重量物の比重よりも小さい請求項５又は６に記載のゴルフクラブセット。